(57)【要約】    【課題】使い勝手がよい指圧器２の提供。    【解決手段】指圧器２は、基台４と４つの突起６とからなる。基台４は板状であり、その平面形状は実質的に矩形である。突起６は、基台４から上方に向けて起立している。突起６は、基台４に接合されている。突起６の縦断面形状は、実質的に半楕円状である。基台４及び突起６は、木製である。典型的には、基台４及び突起６に檜が用いられる。突起６には、塗装が施されていない。突起６の表面には、木目が露出している。突起６の表面の十点平均粗さＲｚは、２０μｍ以上である。この指圧器２は、寝ころんだヒトの人体に敷かれて用いられる。【選択図】図１
0003106683.tif 000002
【実用新案登録請求の範囲】
【請求項１】
木製の基台と、この基台の上面に接合された木製の突起とからなり、この突起の縦断面形状が実質的に半楕円状である指圧器。
【請求項２】
上記突起に塗装が施されておらず、突起の表面に木目が露出している請求項１に記載の指圧器。
【請求項３】
上記突起の表面の十点平均粗さＲｚが２０μｍ以上である請求項２に記載の指圧器。
【請求項４】
上記基台及び突起の材質が檜である請求項１から３のいずれかに記載の指圧器。
【考案の詳細な説明】
【技術分野】
【０００１】
本考案は、人体の下に敷かれて人体のツボを押圧するための指圧器に関する。
【背景技術】
【０００２】
健康促進の目的で、指圧器が広く用いられている。この指圧器は、基台と、この基台から起立する突起とからなる。ヒトは寝ころび、尻、腰又は背中の下にこの指圧器を敷く。すると突起が、人体のツボを押圧して刺激する。この刺激により、ヒトは快感を覚え、また、血行が促進されて疲労が回復する。
【考案の開示】
【考案が解決しようとする課題】
【０００３】
突起に金属が用いられた指圧器がある。この指圧器を用いたヒトは、冷たさを感じる。特に、冬場の使用では冷たさが嫌われる。金属製の突起は、衣服との摩擦係数が小さい。ヒトが衣服を着たままでこの指圧器を用いると、衣服と突起との間でスリップが生じ、本来押圧したいツボから突起がずれてしまう。
【０００４】
本考案の目的は、使い勝手がよい指圧器の提供にある。
【課題を解決するための手段】
【０００５】
本考案に係る指圧器は、木製の基台と、この基台の上面に接合された木製の突起とからなる。この突起の縦断面形状は、実質的に半楕円状である。
【０００６】
好ましくは、突起には塗装が施されない。換言すれば、突起の表面には木目が露出している。好ましくは、突起の表面の十点平均粗さＲｚは、２０μｍ以上である。基台及び突起の好ましい材質は、檜である。
【考案の効果】
【０００７】
この指圧器は木製なので、ヒトにぬくもりを感じさせる。この指圧器の突起と衣服との摩擦係数は高い。この指圧器ではスリップが抑制される。この指圧器により、ツボが確実に押圧されうる。
【考案を実施するための最良の形態】
【０００８】
以下、適宜図面が参照されつつ、好ましい実施形態に基づいて本考案が詳細に説明される。
【０００９】
図１は本考案の一実施形態に係る指圧器２が示された斜視図であり、図２は図１の指圧器２が示された平面図であり、図３は図２のIII−III線に沿った断面図である。この指圧器２は、基台４と４つの突起６とからなる。
【００１０】
基台４は板状であり、その平面形状は実質的に矩形である。基台４のコーナーは、丸められている。基台４の厚みは、５ｍｍ以上３０ｍｍ以下が好ましい。
【００１１】
突起６は、基台４から上方に向けて起立している。突起６は、基台４に接合されている。典型的には、突起６は接着剤によって基台４に接合される。図３から明らかなように、突起６の縦断面形状は、実質的に半楕円状である。
【００１２】
この指圧器２が用いられるときは、まずヒトが仰向けに寝ころぶ。次にヒトは、自らの人体の下に、この指圧器２を敷く。通常は、尻、腰又は背中の下に、指圧器２が敷かれる。指圧器２が敷かれると、突起６の先端が人体に当接する。突起６には体重がかかるので、この反力で、突起６が人体を押圧する。突起６がツボに当てられることにより、このツボが刺激される。この刺激により、ヒトは快感を覚える。刺激により、血行が促進され、疲労が回復する。この指圧器２が用いられることにより、健康の増進が図られうる。職場でヒトが椅子に座って勤務しているときに、この椅子の背もたれと人体との間に指圧器２が配置されても良い。自動車に乗車しているときに、この自動車の背もたれと人体との間に指圧器２が配置されても良い。
【００１３】
図２において両矢印Ｌ１及び両矢印Ｌ２で示されているのは、突起６のピッチである。ピッチＬ１は、ピッチＬ２よりも大きい。換言すれば、この指圧器２は横長である。指圧器２の向きは、用いられる部位によって、適宜決定される。例えば、尻に敷かれるときは横長とされ、腰に敷かれるときは縦長とされる。指圧器２を用いるヒトの体格に応じて、向きが変更されてもよい。例えば、体格の大きなヒトのときは横長に用いられ、体格の小さな人のときは縦長に用いられる。
【００１４】
ピッチＬ１は、５０ｍｍ以上９０ｍｍ以下が好ましい。ピッチＬ２は、４０ｍｍ以上８０ｍｍ以下が好ましい。ピッチの差（Ｌ１−Ｌ２）は、５ｍｍ以上３０ｍｍ以下が好ましい。
【００１５】
図３において両矢印Ｈ１で示されているのは、指圧器２の高さである。ツボの効率的な刺激の観点から、高さＨ１は３０ｍｍ以上８０ｍｍ以下が好ましい。図３において両矢印Ｈ２で示されているのは、基台４の上面からの突起６の高さである。ツボの効率的な刺激の観点から、高さＨ２は２０ｍｍ以上６０ｍｍ以下が好ましい。
【００１６】
基台４及び突起６は、木製である。この指圧器２を用いるヒトは、木のぬくもりを感じる。この指圧器２は、冬でも違和感なく用いられうる。具体的な材質としては、檜、杉及び松が挙げられる。特に檜が好ましい。檜の香りは、この指圧器２を用いるヒトに、精神的な安らぎをも与える。檜はまた、適度な硬度を備えるので、ツボが十分に刺激され、しかも耐久性に優れる。
【００１７】
突起６に塗装が施されることなく、その表面に木目が露出してることが好ましい。木目が露出した突起と衣服との摩擦係数は大きいので、突起６と衣服とのスリップが生じにくい。この指圧器２は、ツボからずれにくい。
【００１８】
スリップ防止の観点から、突起６の表面の十点平均粗さＲｚは２０μｍ以上が好ましく、３０μｍ以上が特に好ましい。十点平均粗さＲｚは、５００μｍ以下が好ましい。
【００１９】
この指圧器２が得られるには、まず木材が削られ、基台４及び突起６が得られる。次に、基台４の所定箇所に、突起６が接着剤で接合される。接合がネジ等で行われてもよい。この指圧器２は、容易にかつ低コストで製作されうる。この指圧器２は、廃材の有効活用にも寄与する。
【００２０】
サイズの小さな基台に、２つの突起が接合されて、指圧器が構成されてもよい。この指圧器は、首筋の押圧に適している。
【産業上の利用可能性】
【００２１】
この指圧器は、家庭での使用に適している。この指圧器により、ヒトの健康増進が達成されうる。
【図面の簡単な説明】
【００２２】
【図１】図１は、本考案の一実施形態に係る指圧器が示された斜視図である。
【図２】図２は、図１の指圧器が示された平面図である。
【図３】図３は、図２のIII−III線に沿った断面図である。
【符号の説明】
【００２３】
２・・・指圧器
４・・・基台
６・・・突起
【図１】
0003106683.tif 000003
【図２】
0003106683.tif 000004
【図３】
0003106683.tif 000005